(57)【特許請求の範囲】
【請求項１】
直接貫入して地中に係止させるアースアンカーにおいて、
軸材２、支圧体３、軸材と支圧体をヒンジ接合するボルト４によって構成され、
軸材２上部に、打って貫入するための頂部５と地上の工作物と連結するための開口６を、軸材２下部にヒンジ１４をつくり、
軸材２と支圧体３をボルト４でヒンジ接合し、
ヒンジ１４端部に、支圧体３を逆回転しないように逆回転止め１２を設けることによって、
支圧体３を閉じて貫入する時支圧体下端部９と軸材の芯１０を一致させ、
ヒンジ１４端部に回転止め１３を設けることによって、
支圧体３が開いた時支圧体３の回転を止めるようにして、
アースアンカー１を地中に貫入し、引き上げ支圧体３が、支圧体に働く回転モーメントによって開くようにつくったことを特徴とする回転支圧体付きアースアンカー。
【請求項２】
前記請求項１記載のアースアンカー１を用いて、
アースアンカー１の頂部５を打つことによってアースアンカー１を、
アースアンカー１上部の開口６の下部が地盤に接するまで地中に貫入し、
貫入後前記開口６に棒を挿入するなどによって前記軸材の芯１０を軸にしてアースアンカー１を９０度回転して、平面視貫入時地中にできた穴から支圧体３の全部または一部を避け、
前記開口６を使い、梃子２１などによってアースアンカー１を引き上げ、
支圧体３を開き、アースアンカー１上部の開口６と地上の工作物等と連結し、
使用後は、頂部５を打つことによって支圧体３を閉じ、９０度貫入時とは逆に回転し、
貫入時にできた地盤の穴を通してアースアンカー１を引き抜くことを特徴とする回転支圧体付きアースアンカーの工法。
【請求項３】
請求項１記載のアースアンカー１を用いて、
アースアンカー１の頂部５を打つことによってアースアンカー１を、
アースアンカー１上部の開口６の下部が地盤に接するまで地中に貫入し、
軸管１５を、軸材２に沿って軸管１５の先端部が前記支圧体３上端部と軸材２との隙間１６に入るまで挿入し、
アースアンカー１上部の開口６と軸管１５頂部を使い、梃子２１などによってアースアンカー１を引き上げ、支圧体３を開き、軸管１５を抜き取り、
アースアンカー１上部の開口６と地上の工作物等と連結し、
使用後は、頂部５を打つことによって支圧体３を閉じ、アースアンカー１を引き抜くことを特徴とする回転支圧体付きアースアンカーの工法。
【発明の詳細な説明】
【技術分野】
【０００１】
本発明は、回転支圧体付きアースアンカーに関するものである。
【背景技術】
【０００２】
回転羽根付きアースアンカーとその工法の技術を提案した。（特許文献１参照）
【先行技術文献】
【特許文献】
【０００３】
【特許文献１】特許第４３２８８７０号
【発明の概要】
【発明が解決しようとする課題】
【０００４】
特許文献１の技術では、回転羽根(支圧体)付きアースアンカーを地盤に埋設するために、鋼管の冶具を用いた。その結果、テントなどの簡易な工作物を地盤に連結するには、従来の杭と比較してコストの高いものになっている（しかし風で飛んだりすることはない）。また、羽根を開く時に羽根と鋼管の間に土が噛み、羽根が完全に開くのは、鋼管を抜き取り後アースアンカーに引張力をかけた後になった。本出願の目的は、テント、ビニールハウス、電柱、鉄塔などの工作物と地盤の連結にも使用できるように、アースアンカーのコストを下げ、アースアンカーの支圧体を容易に開くようにすることである。アースアンカーは、支圧体によって支持されているので、テントなどが風に飛ばされる危険性は無い。
【課題を解決するための手段】
【０００５】
直接貫入して地中に係止させるアースアンカーにおいて、
軸材２、支圧体３、軸材と支圧体をヒンジ接合するボルト４によって構成され、
軸材２上部に、打って貫入するための頂部５と地上の工作物と連結するための開口６を、軸材２下部にヒンジ１４をつくり、
軸材２と支圧体３をボルト４でヒンジ接合し、
ヒンジ１４端部に、支圧体３を逆回転しないように逆回転止め１２を設けることによって、
支圧体３を閉じて貫入する時支圧体下端部９と軸材２の芯１０を一致させ、
ヒンジ１４端部に回転止め１３を設けることによって、
支圧体３が開いた時支圧体３の回転を止めるようにして、
アースアンカー１を地中に貫入し、引き上げ支圧体３が、支圧体に働く回転モーメントによって開くようにつくったことを特徴とするアースアンカーである。
【０００６】
前記請求項１記載のアースアンカー１を用いて、
アースアンカー１の頂部５を打つことによってアースアンカー１を、
アースアンカー１上部の開口６の下部が地盤に接するまで地中に貫入し、
貫入後前記開口６を使い、棒などによって前記軸材の芯１０を軸にしてアースアンカー１を９０度回転して、平面視貫入時地中にできた穴から支圧体３の全部または一部を避け、
前記開口６を使い、梃子２１などによってアースアンカー１を引き上げ、
支圧体３を開き、アースアンカー１上部の開口６と地上の工作物等と連結し、使用後は、頂部５を打つことによって支圧体３を閉じ、９０度貫入時とは逆に回転し、貫入時にできた地盤の穴を通してアースアンカー１を引き抜くことを特徴とするアースアンカーの工法である。
【０００７】
請求項１記載のアースアンカー１を用いて、
アースアンカー１の頂部５を打つことによってアースアンカー１を、
アースアンカー１上部の開口６の下部が地盤に接するまで地中に貫入し、
軸管１５を、軸材２に沿って軸管１５の先端部が前記支圧体３上端部と軸材２との隙間１６に入るまで挿入し、
アースアンカー１上部の開口６と軸管１５頂部を使い、梃子２１などによってアースアンカー１を引き上げ、支圧体３を開き、軸管１５を抜き取り、
アースアンカー１上部の開口６と地上の工作物等と連結し、
使用後は、頂部５を打つことによって支圧体３を閉じ、
アースアンカー１を引き抜くことを特徴とするアースアンカーの工法である。
【発明の効果】
【０００８】
従来テント類は、杭によって地盤に連結されている。杭は地盤との摩擦によって引き抜きに抵抗しており、振動、衝撃に弱く、テントが風に飛ばされることによる被害が出ている。本発明のアースアンカーは、上部地盤に対して直角方向に力が働き、テント、ビニールハウス、電柱、鉄塔などの工作物に係る風の力と地盤の特性に対して、特に支圧体の大きさを誤らなければ大きな安心を得ることができる。支圧体は軸材にボルト接合であるので、大きさの異なる支圧体を自由に替えることができる。軸材の長さ、太さも複数種類用意しておけばよい。また、軸材と地盤の摩擦に頼らないので、従来の杭類に比較して軸材を細くでき、重量は軽くなり持ち運びはしやすい。
【図面の簡単な説明】
【０００９】
【図１】図１の（ａ）は、第１のアースアンカー貫入後の断面図を、図１の（ｂ）は、図１のＡ−Ａ断面図を、図１の（ｃ）は、アースアンカーを引き上げて支圧体を開いた断面図を示す。
【図２】アースアンカーの斜視図である。
【図３】図３の（ａ）は図１（ａ）のＢ−Ｂ矢視図、図３の（ｂ）は図１（ｃ）のＣ−Ｃ矢視図、図３の（ｃ）は図１（ｃ）のＤ−Ｄ断面拡大図である。
【図４】第２のアースアンカーの工法を示す実施例の断面図である。
【図５】第２のアースアンカーの工法を示す実施例の別な断面図である。
【発明を実施するための形態】
【００１０】
図１は、アースアンカー１の構成及び使い方と原理を示している。図面に向かって左側がアースアンカー１の上部であり、右側が下部になる。図１の（ａ）は、アースアンカー１貫入後の断面図を、図１の（ｂ）は、アースアンカー１を、軸材を回転軸にして９０度回転し、梃子によってアースアンカー１を引き上げることを示す図１の（ａ）のＡ−Ａ断面図を、図１の（ｃ）は、アースアンカー１を引き上げて支圧体を開いた断面図を示す。図２は、アースアンカー１の斜視図である。図３の（ａ）、（ｂ）は、それぞれ図１（ａ）のＢ−Ｂ矢視図、図１（ｃ）のＣ−Ｃ矢視図である。図３の（ｃ）は、図１（ｃ）のＤ−Ｄ断面拡大図である。軸材２のヒンジ１４の断面拡大図である。支圧板３をプレートを曲げ加工してつくり、支圧体３の概略中央部で軸材２のヒンジ１４を挟み込み、ヒンジ１４のボルト孔７と支圧板３のボルト孔８を合わせてボルト４でヒンジ接合している。軸材２の接合部となるヒンジ１４は、軸材２と同材で、軸材２を曲げ加工、プレス加工及び研磨加工してつくって良い。
直接貫入して地中に係止させるアースアンカーにおいて、
軸材２、支圧体３、軸材と支圧体をヒンジ接合するボルト４によって構成され、
軸材２上部に、打って貫入するための頂部５と地上の工作物と連結するための開口６を、軸材２下部にヒンジ１４をつくり、
軸材２と支圧体３をボルト４でヒンジ接合し、
ヒンジ１４端部に、支圧体３を逆回転しないように逆回転止め１２を設けることによって、
支圧体３を閉じて貫入する時支圧体下端部９と軸材の芯１０を一致させ、
ヒンジ１４端部に回転止め１３を設けることによって、
支圧体３が開いた時支圧体３の回転を止めるようにして、
アースアンカー１を地中に貫入し、引き上げ支圧体３が、支圧体に働く回転モーメントによって開くようにつくったことを特徴とするアースアンカーである。
以下支圧体３の形状について述べる。まず、支圧体を土中で回転する時、土圧によって、支圧体３にねじれの力が働く。これに対抗するだけの強度が支圧体３とボルト４と軸材２のヒンジ１４に要求されるが、回転時支圧体３が受ける土圧を極力小さくする配慮も必要である。そのためには、回転時支圧体３が土圧を受ける面を小さくしておくことである。次に、支圧体３を引き上げ時支圧体３が土圧によって生じる回転モーメントによって開くためには、回転軸より上部の支圧体３に働く回転モーメントが回転軸より下の支圧体３に働くそれよりも大きくなくてはならない。図３の（ｂ）が示すように、回転軸より下の支圧体３即ち貫入時の支圧体３先端部を貫入し易いように先端部を細くしておけば、同時に回転軸より上部の支圧体３に働く回転モーメントが回転軸より下の支圧体３に働くそれよりも大きくなり、支圧体３が回転モーメントによって開くのである。回転軸より上部の支圧体３に働く回転モーメントと下の支圧体３に働く回転モーメントの差が回転止め１３に働き、支圧体３の回転の止め方も合理的で無理が無い。次に、アースアンカーに大きな引張力が加わると、支圧体３に曲げの力が働き、これに支圧体３がより大きく耐えるために、支圧体３の厚みと曲げ加工が必要になってくる。
【００１１】
図１参照。前記アースアンカー１を用いて、
アースアンカー１の頂部５を打つことによってアースアンカー１を、
アースアンカー１上部の開口６の下部が地盤に接するまで地中に貫入し、
前記開口６に棒を挿入するなどによって、
貫入後前記軸材の芯１０を軸にしてアースアンカー１を９０度回転し、
平面視貫入時地中にできた穴から支圧体３の全部または一部を避け、
アースアンカー１上部の開口６を使い、梃子２１などによってアースアンカー１を引き上げ、支圧体３を開き、アースアンカー１上部の開口６と地上の工作物等と連結し、使用後は、頂部５を打つことによって支圧体３を閉じ、９０度貫入時とは逆に回転し、貫入時にできた地盤の穴を通してアースアンカー１を引き抜くことを特徴とするアースアンカーの工法である。
アースアンカー１を直接貫入する替わりに、ドリルなどによってプレボーリングしてから貫入しても良い。
【００１２】
図４、図５は、アースアンカーの別な工法を示す実施例の断面図である。図４は、アースアンカー１を貫入後、軸管１５を挿入したところを示しており、図５は、貫入後梃子２１を用いて引き上げるところを示している。
前記アースアンカー１を用いて、
アースアンカー１の頂部５を打つことによってアースアンカー１を、
アースアンカー１上部の開口６の下部が地盤に接するまで地中に貫入し、
軸管１５を、軸材２に沿って軸管１５の先端部が前記支圧体３上端部と軸材２との隙間１６に入るまで挿入し、
アースアンカー１上部の開口６と軸管１５頂部を使い、梃子２１などによってアースアンカー１を引き上げ、支圧体３を開き、軸管１５を抜き取り、
アースアンカー１上部の開口６と地上の工作物等と連結し、
使用後は、頂部５を打つことによって支圧体３を閉じ、
アースアンカー１を引き抜くことを特徴とするアースアンカーの工法である。
地盤の粒状性が高く第１のアースアンカーの工法で支圧体３が開かずに抜けてしまうことがある場合には、第２のアースアンカーの工法を用いる。また、第２のアースアンカーの工法を用いる場合は、支圧体３上部と軸材２の間に軸管１５が挿入できるだけの隙間１６が有れば良く、支圧体３上部と軸材２の角度を小さくしてアースアンカー１を貫入しやすくできる。
【符号の説明】
【００１３】
１      アースアンカー          
２      軸材        
３      支圧体
４      ボルト
５      頂部
６      開口            
７、８  ボルト孔
９      支圧体下部先端部
１０    軸材の芯
１１    回転軸
１２    逆回転止め
１３    回転止め
１４    ヒンジ
１５    軸管
１６    隙間
２０    地盤
２１    梃子
【要約】
【課題】テントなどの工作物と地盤を連結するアースアンカーとその工法を提供する。
【解決手段】軸材2、支圧体3、軸材と支圧体をヒンジ接合するボルト4によって構成され、軸材2上部に、打って貫入するための頂部5と、地上の工作物と連結するための開口6を、軸材2下部に、ヒンジ14をつくり、軸材2と支圧体3をボルト4でヒンジ接合し、ヒンジ14端部に、支圧体３を逆回転しないように逆回転止め12を設けることによって、支圧体3を閉じて貫入する時支圧体下端部9と軸材の芯10を一致させ、ヒンジ14端部に回転止め13を設けることによって、支圧体3が開いた時支圧体3の回転を止めるようにして、アースアンカーを地中に貫入し、引き上げ支圧体3が、支圧体3に働く回転モーメントによって開くようにつくったことを特徴とする回転支圧体付きアースアンカーである。
【選択図】図１【図１】
0004752046.tif 000002
【図２】
0004752046.tif 000003
【図３】
0004752046.tif 000004
【図４】
0004752046.tif 000005
【図５】
0004752046.tif 000006